(57)【特許請求の範囲】
【請求項１】
撮像レンズであって、
物体側から像側に向かって、順に、正の屈折力を有する第１レンズ、負の屈折力を有する第２レンズ、正の屈折力を有する第３レンズ、正の屈折力を有する第４レンズ、負の屈折力を有する第５レンズ、正の屈折力を有する第６レンズ、及び負の屈折力を有する第７レンズから構成され、
前記撮像レンズ全体の焦点距離をｆ、前記第１レンズの焦点距離をｆ１、前記第２レンズの焦点距離をｆ２、前記第５レンズの焦点距離をｆ５、前記第１レンズのアッベ数をν１、前記第２レンズのアッベ数をν２、前記第３レンズのアッベ数をν３にしたときに、以下の条件式（１）〜（４）を満たす。
５０．００≦ν１−ν２≦７０．００                        （１）
５０．００≦ν１−ν３≦７０．００                        （２）
−０．２５≦ｆ１／ｆ２≦−０．１０                         （３）
−１００．００≦ｆ５／ｆ≦−２５．００                     （４）
【請求項２】
前記第３レンズの焦点距離をｆ３にしたときに、以下の条件式（５）を満たすことを特徴とする請求項１に記載の撮像レンズ。
２５．００≦ｆ３／ｆ≦４８．００                      （５）
【請求項３】
前記第４レンズの焦点距離をｆ４にしたときに、以下の条件式（６）を満たすことを特徴とする請求項１に記載の撮像レンズ。
３５．００≦ｆ４／ｆ≦３００．００                  （６）
【発明の詳細な説明】
【技術分野】
【０００１】
本発明は、撮像レンズに関して、特に、高画素用ＣＣＤ、ＣＭＯＳなどの撮像素子を使用した携帯用モジュールカメラ、ＷＥＢカメラなどに好適な、ＴＴＬ（光学全長）／ＩＨ（像高）＜１．３０と低背で、全画角（以下、２ωとする）が、８０°以上の広角で、且つ、良好な光学特性を有する７枚のレンズで構成される撮像レンズに関する発明である。
【０００２】
近年、ＣＣＤやＣＭＯＳなどの撮像素子を使用した各種撮像装置が広く普及している。これらの撮像素子の小型化、高性能化に伴い、低背、広角で、且つ、良好な光学特性を有する撮像レンズが求められている。
【０００３】
近年、低背、広角で、且つ、良好な光学特性を有する７枚のレンズで構成される撮像レンズに関する技術開発が進められている。この７枚構成の撮像レンズとしては、物体から像側に向かって、順に、正の屈折力を有する第１レンズ、負の屈折力を有する第２レンズ、正の屈折力を有する第３レンズ、正の屈折力を有する第４レンズ、負の屈折力を有する第５レンズ、正の屈折力を有する第６レンズ、負の屈折力を有する第７レンズで構成されたものが、特許文献１が提案されている。
【０００４】
特許文献１の実施例１、２、６、７、８、９、１０に開示された撮像レンズは、第１レンズのアッベ数と第２レンズのアッベ数の差、第１レンズのアッベ数と第３レンズのアッベ数の差、第１レンズの焦点距離と第２レンズの焦点距離との比、第５レンズのパワー配分が不十分なために、低背化及び、広角化が不十分であった。
【先行技術文献】
【特許文献】
【０００５】
【特許文献１】特開２０１４−１０２４０８号公報
【発明の概要】
【発明が解決しようとする課題】
【０００６】
本発明の目的は、低背、広角で、且つ、良好な光学特性を有する７枚のレンズで構成される撮像レンズを提供する。
【課題を解決するための手段】
【０００７】
上記問題を解決するために、本発明の実施形態は、撮像レンズを提供する。当該撮像レンズは、物体側から像側に向かって、順に、正の屈折力を有する第１レンズ、負の屈折力を有する第２レンズ、正の屈折力を有する第３レンズ、正の屈折力を有する第４レンズ、負の屈折力を有する第５レンズ、正の屈折力を有する第６レンズ、負の屈折力を有する第７レンズを含み、
撮像レンズ全体の焦点距離をｆ、第１レンズの焦点距離をｆ１、第２レンズの焦点距離をｆ２、第５レンズの焦点距離をｆ５、第１レンズのアッベ数をν１、第２レンズのアッベ数をν２、第３レンズのアッベ数をν３にしたときに、以下の条件式（１）〜（４）を満たす。
５０．００≦ν１−ν２≦７０．００                （１）
５０．００≦ν１−ν３≦７０．００                （２）
−０．２５≦ｆ１／ｆ２≦−０．１０                （３）
−１００．００≦ｆ５／ｆ≦−２５．００            （４）
【０００８】
また、第３レンズの焦点距離をｆ３にしたときに、以下の条件式（５）を満たす。
２５．００≦ｆ３／ｆ≦４８．００                    （５）
【０００９】
また、第４レンズの焦点距離をｆ４にしたときに、以下の条件式（６）を満たす。
３５．００≦ｆ４／ｆ≦３００．００                    （６）
【００１０】
本発明によれば、第１レンズのアッベ数と第２レンズのアッベ数の差、第１レンズのアッベ数と第３レンズのアッベ数の差、第１レンズの焦点距離と第２レンズの焦点距離との比、及び第５レンズのパワー配分を合理的に設置することで、ＴＴＬ（光学全長）／ＩＨ（像高）＜１．３０と低背で、２ω＞８０°の広角で、且つ、良好な光学特性を有する７枚のレンズで構成される撮像レンズを実現できる。
【図面の簡単な説明】
【００１１】
【図１】図１は、本発明の実施例１に係る撮像レンズの概略構成を示す図である。
【図２】図２は、本発明の実施例１に係る撮像レンズの球面収差、像面湾曲、歪曲収差を示す図である。
【図３】図３は、本発明の実施例２に係る撮像レンズの概略構成を示す図である。
【図４】図４は、本発明の実施例２に係る撮像レンズの球面収差、像面湾曲、歪曲収差を示す図である。
【図５】図５は、本発明の実施例３に係る撮像レンズの概略構成を示す図である。
【図６】図６は、本発明の実施例３に係る撮像レンズの球面収差、像面湾曲、歪曲収差を示す図である。
【図７】図７は、本発明の実施例４に係る撮像レンズの概略構成を示す図である。
【図８】図８は、本発明の実施例４に係る撮像レンズの球面収差、像面湾曲、歪曲収差を示す図である。
【図９】図９は、本発明の実施例５に係る撮像レンズの概略構成を示す図である。
【図１０】図１０は、本発明の実施例５に係る撮像レンズの球面収差、像面湾曲、歪曲収差を示す図である。
【発明を実施するための形態】
【００１２】
本発明の目的、技術方案及び利点をより明確にするために、以下に、図面を参照しながら本発明の各実施形態を詳しく説明する。ただ、本発明の各実施形態において、本発明に対する理解を便宜にするために、多くの技術的細部まで記載されているが、これらの技術的細部および以下の各実施形態に基づく各種の変化及び修正がなくても、本発明が保護しようとする技術方案を実現可能であることは、当業者にとっては自明なことである。
【００１３】
図面を参照して、本発明に係る撮像レンズの実施形態について説明する。この撮像レンズＬＡは、物体側から像側に向かって、順に、第１レンズＬ１、第２レンズＬ２、第３レンズＬ３、第４レンズＬ４、第５レンズＬ５、第６レンズＬ６、及び第７レンズＬ７を含んでいる７枚構成のレンズ系を備えている。第７レンズＬ７と像面Ｓｉとの間に、光学フィルターＧＦが配置される。この光学フィルターＧＦとしては、カバーガラス、及び、各種フィルターなどを想定したものである。本発明において、光学フィルターＧＦは、異なる位置に配置されてもよく、省略した構成も可能である。
【００１４】
第１レンズＬ１は、正の屈折力を有するレンズであり、第２レンズＬ２は、負の屈折力を有するレンズであり、第３レンズＬ３は、正の屈折力を有するレンズであり、第４レンズＬ４は、正の屈折力を有するレンズであり、第５レンズＬ５は、負の屈折力を有するレンズであり、第６レンズＬ６は、正の屈折力を有するレンズであり、第７レンズＬ７は、負の屈折力を有するレンズである。これらの７枚のレンズ表面は、諸収差を良好に補正するため、全面を非球面形状とすることが望ましい。
【００１５】
撮像レンズＬＡ全体の焦点距離をｆ、第１レンズＬ１の焦点距離をｆ１、第２レンズＬ２の焦点距離をｆ２、第５レンズＬ５の焦点距離をｆ５、第１レンズＬ１のアッベ数をν１、第２レンズＬ２のアッベ数をν２、第３レンズＬ３のアッベ数をν３にしたときに、以下の条件式（１）〜（４）を満たす。
５０．００≦ν１−ν２≦７０．００                （１）
５０．００≦ν１−ν３≦７０．００                （２）
−０．２５≦ｆ１／ｆ２≦−０．１０                （３）
−１００．００≦ｆ５／ｆ≦−２５．００            （４）
【００１６】
条件式（１）は、第１レンズＬ１のアッベ数ν１と第２レンズＬ２のアッベ数ν２の差を規定するものである。条件式（１）の範囲外では、広角、低背化に伴い、軸上、軸外の色収差の補正が困難となり、好ましくない。
【００１７】
条件式（２）は、第１レンズＬ１のアッベ数ν１と第３レンズＬ３のアッベ数ν３の差を規定するものである。条件式（２）の範囲外では、広角、低背化に伴い、軸上、軸外の色収差の補正が困難となり、好ましくない。
【００１８】
条件式（３）は、第１レンズＬ１の焦点距離ｆ１と第２レンズＬ２の焦点距離ｆ２との比を規定するものである。条件式（３）の範囲外では、広角、低背化に伴い、軸上、軸外の色収差の補正が困難となり、好ましくない。
【００１９】
条件式（４）は、第５レンズＬ５の負の屈折力を規定するものである。条件式（４）の範囲外では、良好な光学特性を有しての広角、低背化が困難となり、好ましくない。
【００２０】
第３レンズＬ３は、正の屈折力を有し、第３レンズＬ３の焦点距離をｆ３にしたときに、下記の条件式（５）を満たす。
２５．００≦ｆ３／ｆ≦４８．００                （５）
【００２１】
条件式（５）は、第３レンズＬ３の正の屈折力を規定するものである。条件式（５）の範囲内では、良好な光学特性を有しての広角、低背化が実現できる。
【００２２】
第４レンズＬ４は、正の屈折力を有し、第4レンズＬ4の焦点距離をｆ4にしたときに、下記の条件式（６）を満たす。
３５．００≦ｆ４／ｆ≦３００．００              （６）
【００２３】
条件式（６）は、第４レンズＬ４の正の屈折力を規定するものである。条件式（６）の範囲内では、良好な光学特性を有しての広角、低背化が実現できる。
【００２４】
撮像レンズＬＡを構成する７枚レンズが、それぞれ前記の構成及び、条件式を満たすことにより、ＴＴＬ（光学全長）／ＩＨ（像高）＜１．３０と低背で、２ω＞８０°の広角で、且つ、良好な光学特性を有する７枚のレンズで構成される撮像レンズを得ることが可能となる。
【００２５】
以下に、本発明の撮像レンズＬＡについて、実施例を用いて説明する。各実施例に記載されている記号は以下のことを示す。なお、焦点距離、軸上距離、軸上厚み、曲率半径、及び像高の単位は、ミリメートル（ｍｍ）である。。
ＬＡ    ：撮像レンズ
Ｌ１    ：第１レンズ
Ｌ２    ：第２レンズ
Ｌ３    ：第３レンズ
Ｌ４    ：第４レンズ
Ｌ５    ：第５レンズ
Ｌ６    ：第６レンズ
Ｌ７    ：第７レンズ
ＧＦ    ：光学フィルター
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
ｆ５    ：第５レンズＬ５の焦点距離
ｆ６    ：第６レンズＬ６の焦点距離
ｆ７    ：第７レンズＬ７の焦点距離
Ｆｎｏ  ：Ｆ値
２ω    ：全画角
Ｓｔｏｐ  ：絞り
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：第６レンズＬ６の物体側面の曲率半径
Ｒ１２  ：第６レンズＬ６の像面側面の曲率半径
Ｒ１３  ：第７レンズＬ７の物体側面の曲率半径
Ｒ１４  ：第７レンズＬ７の像面側面の曲率半径
Ｒ１５  ：光学フィルターＧＦの物体側面の曲率半径
Ｒ１６  ：光学フィルターＧＦの像面側面の曲率半径
ｄ      ：レンズの軸上厚み、又は、レンズ間の軸上距離
ｄ０    ：絞りＳｔｏｐから第１レンズＬ１物体側面までの軸上距離
ｄ１    ：第１レンズＬ１の軸上厚み
ｄ２    ：第１レンズＬ１像面側面から第２レンズＬ２の物体側面までの軸上距離
ｄ３    ：第２レンズＬ２の軸上厚み
ｄ４    ：第２レンズＬ２の像面側面から第３レンズＬ３の物体側面までの軸上距離
ｄ５    ：第３レンズＬ３の軸上厚み
ｄ６    ：第３レンズＬ３の像面側面から第４レンズＬ４の物体側面までの軸上距離
ｄ７    ：第４レンズＬ４の軸上厚み
ｄ８    ：第４レンズＬ４の像面側面から第５レンズＬ５の物体側面までの軸上距離
ｄ９    ：第５レンズＬ５の軸上厚み
ｄ１０  ：第５レンズＬ５の像面側面から第６レンズＬ６の物体側面までの軸上距離
ｄ１１  ：第６レンズＬ６の軸上厚み
ｄ１２  ：第６レンズＬ６の像面側面から第７レンズＬ７の物体側面までの軸上距離
ｄ１３  ：第７レンズＬ７の軸上厚み
ｄ１４  ：第７レンズＬ７像面側面から光学フィルターＧＦの物体側面までの軸上距離
ｄ１５  ：光学フィルターＧＦの軸上厚み
ｄ１６  ：光学フィルターＧＦの像面側面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄ７  ：第７レンズＬ７のｄ線の屈折率
ｎｄｇ  ：光学フィルターＧＦのｄ線の屈折率
νｄ    ：アッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：第５レンズＬ５のアッベ数
ν６    ：第６レンズＬ６のアッベ数
ν７    ：第７レンズＬ７のアッベ数
νｇ    ：光学フィルターＧＦのアッベ数
ＴＴＬ  ：光学全長（第１レンズＬ１の物体側面から像面までの軸上距離）
ＬＢ    ：第７レンズＬ７の像面側面から像面までの軸上距離（光学フィルターＧＦの厚み含む）
ＩＨ    ：像高
【００２６】
（実施例１）
図１は、実施例１の撮像レンズＬＡの配置を示す構成図である。表１は、実施例１の撮像レンズＬＡを構成する第１レンズＬ１〜第７レンズＬ７の設定データを示し、曲率半径Ｒ、軸上厚み又はレンズ間の軸上距離ｄ、屈折率ｎｄ、アッベ数νｄ及び有効半径を含み、ここで屈折率ｎｄ、アッベ数νｄ及び有効半径のデータが波長５８８．０ｎｍに対応する。
【００２７】
【表１】
0006757480.tif 000002
【００２８】
表２は、本発明の実施例１に係る撮像レンズＬＡにおける各レンズの円錐係数と非球面係数を示す。
【００２９】
【表２】
0006757480.tif 000003
【００３０】
ここで、ｋは円錐係数であり、Ａ４、Ａ６、Ａ８、Ａ１０、Ａ１２、Ａ１４、Ａ１６、Ａ１８、Ａ２０は非球面係数である。
ｙ＝（ｘ２／Ｒ）／[１＋｛１−（ｋ＋１）（ｘ２／Ｒ２）｝１／２]＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０          （７）
【００３１】
各レンズ面の非球面は、便宜上、式（７）で表される非球面を使用しているが、本発明は、この式（７）の非球面多項式に限定するものではない。
【００３２】
表３は、本発明の実施例１に係る撮像レンズＬＡにおける２ω、Ｆｎｏ、ｆ、ｆ１、ｆ２、ｆ３、ｆ４、ｆ５、ｆ６、ｆ７、ＴＴＬ、ＬＢ、ＩＨを示す。
【００３３】
【表３】
0006757480.tif 000004
【００３４】
後に登場する表１６は、各実施例１〜５の条件式（１）〜（６）で規定したパラメータに対応する値を示す。
【００３５】
実施例１は、表１６に示すように、条件式（１）〜（６）を満たす。
【００３６】
図２は、それぞれ波長４８６．０ｎｍ、５８８．０ｎｍ、及び６６６．０ｎｍの光が実施例１に係る撮像レンズＬＡを通った後の球面収差を示し、波長５８８．０ｎｍの光が実施例１に係る撮像レンズＬＡを通った後の像面湾曲、歪曲収差を示す図である。なお、図2の像面湾曲のＳはサジタル像面に対する像面湾曲、Ｔはタンジェンシャル像面に対する像面湾曲であり、後の実施例２〜５においても同様である。
【００３７】
実施例１の撮像レンズＬＡは、２ω＝８３．０２°、ＴＴＬ／ＩＨ＝１．２７６と広角、低背で、図２に示すように、軸上、軸外の色収差を十分に補正することができ、良好な光学特性を有している。
【００３８】
（実施例２）
図３は、実施例２の撮像レンズＬＡの配置を示す構成図である。表４は、実施例２の撮像レンズＬＡを構成する第１レンズＬ１〜第７レンズＬ７の設定データを示し、曲率半径Ｒ、軸上厚み又はレンズ間の軸上距離ｄ、屈折率ｎｄ、アッベ数νｄを含み、ここで屈折率ｎｄ、アッベ数νｄ及び有効半径のデータが波長５８８．０ｎｍに対応する。
【００３９】
【表４】
0006757480.tif 000005
【００４０】
表５は、本発明の実施例２に係る撮像レンズＬＡにおける各レンズの円錐係数と非球面係数を示す。
【００４１】
【表５】
0006757480.tif 000006
【００４２】
表６は、本発明の実施例２に係る撮像レンズＬＡにおける２ω、Ｆｎｏ、ｆ、ｆ１、ｆ２、ｆ３、ｆ４、ｆ５、ｆ６、ｆ７、ＴＴＬ、ＬＢ、ＩＨを示す。
【００４３】
【表６】
0006757480.tif 000007
【００４４】
実施例２は、表１６に示すように、条件式（１）〜（６）を満たす。
【００４５】
図４は、それぞれ波長４８６．０ｎｍ、５８８．０ｎｍ、及び６６６．０ｎｍの光が実施例２に係る撮像レンズＬＡを通った後の球面収差を示し、波長５８８．０ｎｍの光が実施例２に係る撮像レンズＬＡを通った後の像面湾曲、歪曲収差を示す図である。
【００４６】
実施例２の撮像レンズＬＡは、２ω＝８３．０２°、ＴＴＬ／ＩＨ＝１．２７６と広角、低背で、図４に示すように、軸上、軸外の色収差を十分に補正することができ、良好な光学特性を有している。
【００４７】
（実施例３）
図５は、実施例３の撮像レンズＬＡの配置を示す構成図である。実施例３の撮像レンズＬＡを構成する第１レンズＬ１〜第７レンズＬ７の設定データを示し、曲率半径Ｒ、軸上厚み又はレンズ間の軸上距離ｄ、屈折率ｎｄ、アッベ数νｄ及び有効半径を含み、ここで屈折率ｎｄ、アッベ数νｄ及び有効半径のデータが波長５８８．０ｎｍに対応する。
【００４８】
【表７】
0006757480.tif 000008
【００４９】
表８は、本発明の実施例３に係る撮像レンズＬＡにおける各レンズの円錐係数と非球面係数を示す。
【００５０】
【表８】
0006757480.tif 000009
【００５１】
表９は、本発明の実施例３に係る撮像レンズＬＡにおける２ω、Ｆｎｏ、ｆ、ｆ１、ｆ２、ｆ３、ｆ４、ｆ５、ｆ６、ｆ７、ＴＴＬ、ＬＢ、ＩＨを示す。
【００５２】
【表９】
0006757480.tif 000010
【００５３】
実施例３は、表１６に示すように、条件式（１）〜（６）を満たす。
【００５４】
図６は、それぞれ波長４８６．０ｎｍ、５８８．０ｎｍ、及び６６６．０ｎｍの光が実施例３に係る撮像レンズＬＡを通った後の球面収差を示し、波長５８８．０ｎｍの光が実施例３に係る撮像レンズＬＡを通った後の像面湾曲、歪曲収差を示す図である。
【００５５】
実施例３の撮像レンズＬＡは、２ω＝８３．０１°、ＴＴＬ／ＩＨ＝１．２７３と広角、低背で、図６に示すように、軸上、軸外の色収差を十分に補正することができ、良好な光学特性を有している。
【００５６】
（実施例４）
図７は、実施例４の撮像レンズＬＡの配置を示す構成図である。表１０は、実施例４の撮像レンズＬＡを構成する第１レンズＬ１〜第７レンズＬ７の設定データを示し、曲率半径Ｒ、軸上厚み又はレンズ間の軸上距離ｄ、屈折率ｎｄ、アッベ数νｄ及び有効半径を含み、ここで屈折率ｎｄ、アッベ数νｄ及び有効半径のデータが波長５８８．０ｎｍに対応する。。
【００５７】
【表１０】
0006757480.tif 000011
【００５８】
表１１は、本発明の実施例４に係る撮像レンズＬＡにおける各レンズの円錐係数と非球面係数を示す。
【００５９】
【表１１】
0006757480.tif 000012
【００６０】
表１２は、本発明の実施例４に係る撮像レンズＬＡにおける２ω、Ｆｎｏ、ｆ、ｆ１、ｆ２、ｆ３、ｆ４、ｆ５、ｆ６、ｆ７、ＴＴＬ、ＬＢ、ＩＨを示す。
【００６１】
【表１２】
0006757480.tif 000013
【００６２】
実施例４は、表１６に示すように、条件式（１）〜（６）を満たす。
【００６３】
図８は、それぞれ波長４８６．０ｎｍ、５８８．０ｎｍ、及び６６６．０ｎｍの光が実施例４に係る撮像レンズＬＡを通った後の球面収差を示し、波長５８８．０ｎｍの光が実施例４に係る撮像レンズＬＡを通った後の像面湾曲、歪曲収差を示す図である。
【００６４】
実施例４の撮像レンズＬＡは、２ω＝８３．０２°、ＴＴＬ／ＩＨ＝１．２７６と広角、低背で、図８に示すように、軸上、軸外の色収差を十分に補正することができ、良好な光学特性を有している。
【００６５】
（実施例５）
図９は、実施例５の撮像レンズＬＡの配置を示す構成図である。実施例５の撮像レンズＬＡを構成する第１レンズＬ１〜第７レンズＬ７の設定データを示し、曲率半径Ｒ、軸上厚み又はレンズ間の軸上距離ｄ、屈折率ｎｄ、アッベ数νｄ及び有効半径を含み、ここで屈折率ｎｄ、アッベ数νｄ及び有効半径のデータが波長５８８．０ｎｍに対応する。
【００６６】
【表１３】
0006757480.tif 000014
【００６７】
表１４は、本発明の実施例５に係る撮像レンズＬＡにおける各レンズの円錐係数と非球面係数を示す。
【００６８】
【表１４】
0006757480.tif 000015
【００６９】
表１５は、本発明の実施例５に係る撮像レンズＬＡにおける２ω、Ｆｎｏ、ｆ、ｆ１、ｆ２、ｆ３、ｆ４、ｆ５、ｆ６、ｆ７、ＴＴＬ、ＬＢ、ＩＨを示す。
【００７０】
【表１５】
0006757480.tif 000016
【００７１】
実施例５は、表１６に示すように、条件式（１）〜（６）を満たす。
【００７２】
図１０は、それぞれ波長４８６．０ｎｍ、５８８．０ｎｍ、及び６６６．０ｎｍの光が実施例５に係る撮像レンズＬＡを通った後の球面収差を示し、波長５８８．０ｎｍの光が実施例５に係る撮像レンズＬＡを通った後の像面湾曲、歪曲収差を示す図である。
【００７３】
実施例５の撮像レンズＬＡは、２ω＝８３．０２°、ＴＴＬ／ＩＨ＝１．２７６と広角、低背で、図１０に示すように、軸上、軸外の色収差を十分に補正することができ、良好な光学特性を有している。
【００７４】
表１６に、実施例１〜５の条件式（１）〜（６）で規定したパラメータに対応する値を示す。
【００７５】
【表１６】
0006757480.tif 000017
【００７６】
上記の各実施形態は本発明を実現するための具体的な実施形態であるが、実際の応用において、本発明の主旨及び範囲から逸脱しない範囲での形式及び細部に対する各種の変更は、いずれも本発明の保護範囲に属することは、当業者であれば理解できるはずである。
【要約】
【課題】本発明は、低背、広角で、且つ、良好な光学特性を有する７枚のレンズで構成される撮像レンズを提供する。
【解決の手段】撮像レンズは、物体側から像側に向かって、順に、正の屈折力を有する第１レンズ、負の屈折力を有する第２レンズ、正の屈折力を有する第３レンズ、正の屈折力を有する第４レンズ、負の屈折力を有する第５レンズ、正の屈折力を有する第６レンズ、負の屈折力を有する第７レンズを含み、所定の条件式を満たす。
【選択図】図１【図１】
0006757480.tif 000018
【図２】
0006757480.tif 000019
【図３】
0006757480.tif 000020
【図４】
0006757480.tif 000021
【図５】
0006757480.tif 000022
【図６】
0006757480.tif 000023
【図７】
0006757480.tif 000024
【図８】
0006757480.tif 000025
【図９】
0006757480.tif 000026
【図１０】
0006757480.tif 000027